(57)【要約】  無線通信システムにおいてマルチキャスト／ブロードキャストサービス（ＭＣＢＣＳ：ＭｕｌｔｉＣａｓｔ ａｎｄ ＢｒｏａｄＣａｓｔ Ｓｅｒｖｉｃｅ）とマクロダイバーシティのための具体的な支援装置及び方法を提供する。複数のＡＳＮ（Ａｃｃｅｓｓ Ｓｅｒｖｉｃｅ Ｎｅｔｗｏｒｋ）内のＭＣＢＣＳプロキシのうち、第１のＭＣＢＣＳプロキシをマスターＭＣＢＣＳプロキシとして選定し、前記第１のＭＣＢＣＳプロキシ以外の他のＭＣＢＣＳプロキシをスレーブＭＣＢＣＳプロキシとして選定し、前記第１のＭＣＢＣＳプロキシがマクロダイバーシティのための情報を前記スレーブＭＣＢＣＳプロキシへ送信し、前記マスターＭＣＢＣＳプロキシが前記ＭＢＳ（Ｍｕｌｔｉｃａｓｔ ａｎｄ Ｂｒｏａｄｃａｓｔ Ｓｅｒｖｉｃｅ）ゾーン内の移動局からＭＣＢＣＳ参加メッセージを一番目に受信する。
2011505738.tif 000002
【特許請求の範囲】
【請求項１】
一つのＭＢＳ（Ｍｕｌｔｉｃａｓｔ  ａｎｄ  Ｂｒｏａｄｃａｓｔ  Ｓｅｒｖｉｃｅ）ゾーン内のＭＣＢＣＳ（ＭｕｌｔｉＣａｓｔ  ａｎｄ  ＢｒｏａｄＣａｓｔ  Ｓｅｒｖｉｃｅ）のための複数のＡＳＮ（Ａｃｃｅｓｓ  Ｓｅｒｖｉｃｅ  Ｎｅｔｗｏｒｋ）を含む無線通信システムにおいてＭＣＢＣＳとマクロダイバーシティ（ｍａｃｒｏ  ｄｉｖｅｒｓｉｔｙ）のためのＭＣＢＣＳプロキシ（ｐｒｏｘｙ）選定を支援する方法において、
前記複数のＡＳＮ内のＭＣＢＣＳプロキシのうち、第１のＭＣＢＣＳプロキシをマスター（ｍａｓｔｅｒ）ＭＣＢＣＳプロキシとして選定し、前記第１のＭＣＢＣＳプロキシ以外の他のＭＣＢＣＳプロキシをスレーブ（ｓｌａｖｅ）ＭＣＢＣＳプロキシとして選定するステップ、及び
前記第１のＭＣＢＣＳプロキシがマクロダイバーシティのための情報を前記スレーブＭＣＢＣＳプロキシへ送信するステップを含み、
前記マスターＭＣＢＣＳプロキシが、前記ＭＢＳゾーン内の移動局からＭＣＢＣＳ参加メッセージを一番目に受信することを特徴とする支援方法。
【請求項２】
前記第１のＭＣＢＣＳプロキシが、前記マスターＭＣＢＣＳプロキシの識別子を含む通知メッセージを前記他のＭＣＢＣＳプロキシとＭＣＢＣＳコントローラへ送信するステップをさらに含むことを特徴とする請求項１に記載の支援方法。
【請求項３】
前記第１のＭＣＢＣＳプロキシが、前記通知メッセージに対応して前記ＭＣＢＣＳコントローラからセッション情報を受信するステップをさらに含むことを特徴とする請求項２に記載の支援方法。
【請求項４】
前記セッション情報は、マルチキャスト／ブロードキャスト・インターネット・プロトコル（ＩＰ：Ｉｎｔｅｒｎｅｔ  Ｐｒｏｔｏｃｏｌ）アドレス（Ｍｕｌｔｉｃａｓｔ／Ｂｒｏａｄｃａｓｔ  ＩＰ  Ａｄｄｒｅｓｓ）を含むＭＢＳチャンネル情報、伝送時間情報、符号化／復号化情報のうちの少なくとも一つの情報を含むことを特徴とする請求項３に記載の支援方法。
【請求項５】
前記マクロダイバーシティのための情報は、Ｌａｙｅｒ  ２情報であることを特徴とする請求項１に記載の支援方法。
【請求項６】
前記Ｌａｙｅｒ  ２情報は、変調、サブチャンネル、シンボル、オフセット、マルチキャスト接続識別子（ＭＣＩＤ：Ｍｕｌｔｉｃａｓｔ  Ｃｏｎｎｅｃｔｉｏｎ  Ｉｄｅｎｔｉｆｉｅｒ）に関する情報及びＭＣＢＣＳコンテンツを伝送する時間情報のうちの少なくとも一つの情報を含むことを特徴とする請求項５に記載の支援方法。
【請求項７】
前記マスターＭＣＢＣＳプロキシ及び前記スレーブＭＣＢＣＳプロキシが、前記Ｌａｙｅｒ  ２情報を前記ＭＢＳゾーン内のすべての基地局へ送信するステップをさらに含むことを特徴とする請求項５に記載の支援方法。
【請求項８】
前記スレーブＭＣＢＣＳプロキシへ送信するステップは、前記スレーブＭＣＢＣＳプロキシが提供するリレー経路を介して前記スレーブＭＣＢＣＳプロキシの基地局へ前記Ｌａｙｅｒ  ２情報が送信されることを特徴とする請求項５に記載の支援方法。
【請求項９】
一つのＭＢＳゾーン内のＭＣＢＣＳのための複数のＡＳＮを含む無線通信システムにおいてＭＣＢＣＳとマクロダイバーシティのためのＭＣＢＣＳプロキシの運営方法において、
ＭＣＢＣＳプロキシが前記ＭＢＳゾーン内の移動局からＭＣＢＣＳ参加メッセージを受信するステップと、
前記ＭＣＢＣＳプロキシが前記ＭＣＢＣＳ参加メッセージを参照して、前記移動局が前記ＭＢＳゾーン内のＭＣＢＣＳのための第一の移動局であるか否かをチェックするステップと、
前記移動局が第一の移動局である場合、前記ＭＣＢＣＳプロキシが自身をマスターＭＣＢＣＳプロキシとして設定するステップと、
前記ＭＣＢＣＳプロキシが前記マスターＭＣＢＣＳプロキシの設定をセッション開始手続のためにＭＣＢＣＳコントローラへ知らせ、また前記マスターＭＣＢＣＳプロキシの設定を、前記他のＭＣＢＣＳプロキシが前記ＭＣＢＣＳのためにスレーブＭＣＢＣＳプロキシとして設定されるように、前記他のＭＣＢＣＳプロキシへ知らせるステップと、
前記ＭＣＢＣＳプロキシが前記セッション開始手続に応じて前記マクロダイバーシティのために割り当てたＬａｙｅｒ  ２情報を前記スレーブＭＣＢＣＳプロキシへ送信するステップと、を含む運営方法。
【請求項１０】
前記ＭＣＢＣＳプロキシが、前記マスターＭＣＢＣＳプロキシの識別子を含む通知メッセージを前記他のＭＣＢＣＳプロキシと前記ＭＣＢＣＳコントローラへ送信するステップをさらに含むことを特徴とする請求項９に記載の運営方法。
【請求項１１】
前記ＭＣＢＣＳプロキシが、前記通知メッセージに対応して前記ＭＣＢＣＳコントローラからセッション情報を受信するステップをさらに含むことを特徴とする請求項１０に記載の運営方法。
【請求項１２】
前記セッション情報は、マルチキャスト／ブロードキャスト・インターネット・プロトコル・アドレスを含むＭＢＳチャンネル情報、伝送時間情報、符号化／復号化情報のうちの少なくとも一つの情報を含むことを特徴とする請求項１１に記載の運営方法。
【請求項１３】
前記Ｌａｙｅｒ  ２情報は、変調、サブチャンネル、シンボル、オフセット、マルチキャスト接続識別子に関する情報及びＭＣＢＣＳコンテンツを伝送する時間情報のうちの少なくとも一つの情報を含むことを特徴とする請求項９に記載の運営方法。
【請求項１４】
一つのＭＢＳゾーン内のＭＣＢＣＳのための複数のＡＳＮを含む無線通信システムにおいてＭＣＢＣＳとマクロダイバーシティのためのＭＣＢＣＳプロキシ選定を支援する装置において、
移動局からＭＣＢＣＳ参加メッセージを受信する受信部と、
前記ＭＣＢＣＳ参加メッセージを参照して、前記移動局が前記ＭＢＳゾーン内のＭＣＢＣＳのための第一の移動局であるか否かをチェックし、前記移動局が第一の移動局である場合、ＭＣＢＣＳプロキシの状態をマスターとして設定するＭＣＢＣＳプロキシ設定部と、
前記マスターの設定を、セッション開始手続のためにＭＣＢＣＳコントローラ及び前記ＭＣＢＣＳのためにスレーブＭＣＢＣＳプロキシとして設定されるように前記ＭＢＳゾーン内の他のＭＣＢＣＳプロキシへ知らせるか、または、前記マクロダイバーシティのためにＬａｙｅｒ  ２情報を前記他のＭＣＢＣＳプロキシへ送信する送信部、及び
前記セッション開始手続に応じて前記Ｌａｙｅｒ  ２情報を生成し、前記Ｌａｙｅｒ  ２情報を前記送信部へ送信する情報生成部と、を含む支援装置。
【請求項１５】
前記Ｌａｙｅｒ  ２情報は、変調、サブチャンネル、シンボル、オフセット、マルチキャスト接続識別子に関する情報及びＭＣＢＣＳコンテンツを伝送する時間情報のうちの少なくとも一つの情報を含むことを特徴とする請求項１４に記載の支援装置。
【請求項１６】
前記情報生成部は、前記セッション開始手続に応じて受信されたセッション情報を用いて前記Ｌａｙｅｒ  ２情報を生成し、前記セッション情報は、マルチキャスト／ブロードキャスト・インターネット・プロトコル・アドレスを含むＭＢＳチャンネル情報、伝送時間情報、符号化／復号化情報のうちの少なくとも一つの情報を含むことを特徴とする請求項１４に記載の支援装置。
【請求項１７】
前記ＭＢＳゾーン内の他のＭＣＢＣＳプロキシに関するリストを維持及び格納するリスト格納部をさらに含むことを特徴とする請求項１４に記載の支援装置。
【発明の詳細な説明】
【発明の詳細な説明】
【０００１】
［技術分野］
本発明は、無線通信システムに係り、特に、無線通信システムにおいてマルチキャスト／ブロードキャスト・サービス（ＭＣＢＣＳ：ＭｕｌｔｉＣａｓｔ ａｎｄ ＢｒｏａｄＣａｓｔ Ｓｅｒｖｉｃｅ、以下、「ＭＣＢＣＳ」という）とマクロダイバーシティ（ｍａｃｒｏ ｄｉｖｅｒｓｉｔｙ）のためのＭＣＢＣＳプロキシ選定を支援するための装置及び方法に関する。
［背景技術］
無線通信システムは、放送、マルチメディア映像、マルチメディアメッセージなどの多様なサービスを提供する形態で発展してきている。特に、次世代無線通信システムでは高速の多様なサービス品質（ＱｏＳ：Ｑｕａｌｉｔｙ ｏｆ Ｓｅｒｖｉｃｅ、以下、「ＱｏＳ」という）のサービスを安定してユーザらに提供するための研究が活発に進められてきている。また、現在、次世代無線通信システムでは移動性とＱｏＳを保障し且つ高速サービスを安定して提供できるようにする研究が活発に進められてきており、その代表的な通信システムがＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ） ８０２.１６規格基盤の携帯インターネットシステムまたはワイマックス（ＷｉＭＡＸ：Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ）システムである。
【０００２】
しかしながら、現在のワイマックスシステムは、ＩＥＥＥ ８０２.１６規格で支援するＭＣＢＣＳとマクロダイバーシティを支援するための具体的な方案が未だ確立されていない。このため、前記ＭＣＢＣＳとマクロダイバーシティを支援するための具体的な方案が求められ、とりわけ、ＭＣＢＣＳを提供する一つのＭＢＳ（Ｍｕｌｔｉｃａｓｔ ａｎｄ Ｂｒｏａｄｃａｓｔ Ｓｅｒｖｉｃｅ）ゾーンに複数のアクセスサービスネットワーク（ＡＳＮ：Ａｃｃｅｓｓ Ｓｅｒｖｉｃｅ Ｎｅｔｗｏｒｋ、以下、「ＡＳＮ」という）が存在する無線ネットワークにおいてより効率的にＭＣＢＣＳとマクロダイバーシティを支援するための具体的な方案が求められている。
［発明の概要］
［発明が解決しようとする課題］
そこで、本発明の目的は、無線通信システムにおいてＭＣＢＣＳとマクロダイバーシティのための具体的な支援装置及び方法を提供することにある。
【０００３】
また、本発明の他の目的は、無線通信システムにおいて一つのＭＢＳゾーン内に複数のＡＳＮが存在する場合における、ＭＣＢＣＳとマクロダイバーシティのためのＭＣＢＣＳプロキシ選択を支援する装置及び方法を提供することにある。
［課題を解決するための手段］
前記目的を達成するための本発明の方法は、複数のＡＳＮ（Ａｃｃｅｓｓ Ｓｅｒｖｉｃｅ Ｎｅｔｗｏｒｋ）内のＭＣＢＣＳ（ＭｕｌｔｉＣａｓｔ ａｎｄ ＢｒｏａｄＣａｓｔ Ｓｅｒｖｉｃｅ）プロキシのうち、第１のＭＣＢＣＳプロキシをマスターＭＣＢＣＳプロキシとして選定し、前記第１のＭＣＢＣＳプロキシ以外の他のＭＣＢＣＳプロキシをスレーブＭＣＢＣＳプロキシとして選定するステップ、及び前記第１のＭＣＢＣＳプロキシがマクロダイバーシティのための情報を前記スレーブＭＣＢＣＳプロキシへ送信するステップを含み、前記マスターＭＣＢＣＳプロキシが、前記ＭＢＳゾーン内の移動局からＭＣＢＣＳ参加メッセージを一番目に受信することを特徴とする。
【０００４】
前記目的を達成するための本発明の方法は、ＭＣＢＣＳプロキシが前記ＭＣＢＣＳ参加メッセージを参照して、前記移動局が前記ＭＢＳゾーン内のＭＣＢＣＳのための第一の移動局であるか否かをチェックするステップと、前記移動局が第一の移動局である場合、前記ＭＣＢＣＳプロキシが自身をマスターＭＣＢＣＳプロキシとして設定するステップと、前記ＭＣＢＣＳプロキシが前記マスターＭＣＢＣＳプロキシの設定をセッション開始手続のためにＭＣＢＣＳコントローラへ知らせ、また前記マスターＭＣＢＣＳプロキシの設定を、前記他のＭＣＢＣＳプロキシが前記ＭＣＢＣＳのためにスレーブＭＣＢＣＳプロキシとして設定されるように、前記他のＭＣＢＣＳプロキシへ知らせるステップと、前記ＭＣＢＣＳプロキシが前記セッション開始手続に応じて前記マクロダイバーシティのために割り当てたＬａｙｅｒ ２情報を前記スレーブＭＣＢＣＳプロキシへ送信するステップと、を含むことを特徴とする。
【０００５】
前記目的を達成するための本発明の装置は、移動局からＭＣＢＣＳ（ＭｕｌｔｉＣａｓｔ ａｎｄ ＢｒｏａｄＣａｓｔ Ｓｅｒｖｉｃｅ）参加メッセージを受信する受信部と、前記ＭＣＢＣＳ参加メッセージを参照して、前記移動局が前記ＭＢＳゾーン内のＭＣＢＣＳのための第一の移動局であるか否かをチェックし、前記移動局が第一の移動局である場合、ＭＣＢＣＳプロキシの状態をマスターとして設定するＭＣＢＣＳプロキシ設定部と、前記マスターの設定を、セッション開始手続のためにＭＣＢＣＳコントローラ及び前記ＭＣＢＣＳのためにスレーブＭＣＢＣＳプロキシとして設定されるように前記ＭＢＳゾーン内の他のＭＣＢＣＳプロキシへ知らせるか、または、前記マクロダイバーシティのためにＬａｙｅｒ ２情報を前記他のＭＣＢＣＳプロキシへ送信する送信部、及び前記セッション開始手続に応じて前記Ｌａｙｅｒ ２情報を生成し、前記Ｌａｙｅｒ ２情報を前記送信部へ送信する情報生成部と、を含むことを特徴とする。
［発明の効果］
本発明では、無線通信システムにおいてＭＣＢＣＳとマクロダイバーシティのための具体的な支援方案を提供することで、ＭＣＢＣＳコンテンツの提供時にＭＣＢＣＳに対するマクロダイバーシティ利得を得ることができる。また、本発明では、複数のＡＳＮが存在する無線ネットワークにおいてＭＣＢＣＳプロキシ選択を通じてＭＣＢＣＳとマクロダイバーシティをより効率的に支援するシステムまたは装置を実現し運営することができる。
【図面の簡単な説明】
【０００６】
【図１】本発明の実施形態による無線通信システムにおいてワイマックスシステムの構造を概略的に示す図である。
【図２】本発明の実施形態による無線通信システムにおいてＭＣＢＣＳとマクロダイバーシティを支援するためのワイマックスシステム構造を概略的に示す図である。
【図３】本発明の実施形態による無線通信システムにおいてＭＣＢＣＳとマクロダイバーシティを支援するためにワイマックスシステムのＭＣＢＣＳプロキシを選択する動作を示す図である。
【０００７】
［発明を実施するための形態］
以下、添付した図面及び好適な実施形態を参照して本発明について詳しく説明する。なお、下記の説明では、本発明の要旨を不要に曖昧にし得る公知の機能及び構成についての詳細な説明は省略した。
【０００８】
本発明では、無線通信システム、一例として広帯域無線アクセス（ＢＷＡ：Ｂｒｏａｄｂａｎｄ Ｗｉｒｅｌｅｓｓ Ａｃｃｅｓｓ、以下、「ＢＷＡ」という）通信システムであって、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ） ８０２.１６システムを基盤とした携帯インターネットシステムまたはワイマックス（ＷｉＭＡＸ：Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ）システムにおいて、マルチキャスト／ブロードキャスト・サービス（ＭＣＢＣＳ：ＭｕｌｔｉＣａｓｔ ａｎｄ ＢｒｏａｄＣａｓｔ Ｓｅｒｖｉｃｅ、以下、「ＭＣＢＣＳ」という）とマクロダイバーシティのためのＭＣＢＣＳプロキシ選択を支援する装置及び方法、並びにＭＣＢＣＳプロキシを運営する方法を提案する。ここで、後述する本発明の実施形態では、説明の便宜上、無線通信システムをＩＥＥＥ ８０２.１６規格を基盤とした携帯インターネットシステムまたはワイマックスシステムを一例として説明するが、本発明で提案するＭＣＢＣＳとマクロダイバーシティを支援する方案は、他のシステムを基盤とした無線通信システムにも適用できる。
【０００９】
また、後述する本発明の実施形態では、ワイマックスシステムまたはネットワークにおいてＭＣＢＣＳを提供するゾーン（以下、「ＭＢＳ（Ｍｕｌｔｉｃａｓｔ ａｎｄ Ｂｒｏａｄｃａｓｔ Ｓｅｒｖｉｃｅ）ゾーン」という）内に複数のアクセスサービスネットワーク（ＡＳＮ：Ａｃｃｅｓｓ Ｓｅｒｖｉｃｅ Ｎｅｔｗｏｒｋ、以下、「ＡＳＮ」という）が含まれる場合、前記ＭＢＳゾーンへのＭＣＢＣＳとマクロダイバーシティを支援する。ここで、前記ＭＢＳゾーンは、ＩＥＥＥ ８０２.１６及びワイマックス規格によると、ＭＣＢＣＳコンテンツを伝送するために複数の基地局（ＢＳ：Ｂａｓｅ Ｓｔａｔｉｏｎ、以下、「ＢＳ」という）が同じ接続識別子（ＣＩＤ：Ｃｏｎｎｅｃｔｉｏｎ Ｉｄｅｎｔｉｆｉｅｒ、以下、「ＣＩＤ」という）と同じセキュリティアソシエーション（ＳＡ：Ｓｅｃｒｕｉｔｙ Ａｓｓｏｃｉａｔｉｏｎ、以下、「ＳＡ」という）を使ってサービスを提供するゾーンを指し、ＭＢＳゾーン識別子によって区分できる。また、前記ＭＢＳゾーンには、一つのＡＳＮが含まれるか、または複数のＡＳＮが含まれていてよい。
【００１０】
このように一つのＭＢＳゾーンに複数のＡＳＮが含まれた無線通信システム／ネットワークにおいて、各ＡＳＮは、少なくとも一つのＢＳに接続されたＡＳＮゲートウェイ（ＡＳＮ−ＧＷ：ＡＳＮ−Ｇａｔｅｗａｙ、以下、「ＡＳＮ−ＧＷ」という）を含む。そして、ＭＣＢＣＳのために各ＡＳＮは、ＡＳＮ−ＧＷの個数分のＭＣＢＣＳプロキシを含み、複数のＡＳＮが含まれた一つのＭＢＳゾーンへのＭＣＢＣＳのためには、複数のＭＣＢＣＳプロキシが含まれる。
【００１１】
さらに、ＩＥＥＥ ８０２.１６規格のＭＣＢＣＳとマクロダイバーシティを支援するために一つのＭＢＳゾーン内のすべての基地局がＭＢＳ−ＭＡＰを生成するための同じ構成情報を持っている必要がある。言い換えれば、すべてのＢＳは同じ変調、サブチャンネル、シンボル、オフセット、マルチキャスト接続識別子（ＭＣＩＤ：Ｍｕｌｔｉｃａｓｔ Ｃｏｎｎｅｃｔｉｏｎ Ｉｄｅｎｔｉｆｉｅｒ、以下、「ＭＣＩＤ」という）に関する情報及びＭＣＢＣＳコンテンツを伝送する時間情報などの、ＭＣＢＣＳとマクロダイバーシティのためのＭＣＢＣＳ制御情報／Ｌａｙｅｒ ２情報を獲得する必要がある。このようにすべてのＢＳが同じＭＣＢＣＳ制御情報／Ｌａｙｅｒ ２情報を獲得するように、一つのＭＢＳゾーンのための複数のＭＣＢＣＳプロキシのうち、一つのＭＣＢＣＳプロキシだけがＭＣＢＣＳ制御情報／Ｌａｙｅｒ ２情報を割り当てる必要がある。
【００１２】
したがって、本発明では、中央集中的（ｃｅｎｔｒａｌｉｚｅ）管理方式で一つのＭＢＳゾーンのための複数のＭＣＢＣＳプロキシのうち、一つのＭＣＢＣＳプロキシだけがＭＣＢＣＳ制御情報／Ｌａｙｅｒ ２情報を割り当てるように前記複数のＭＣＢＣＳプロキシのうち、一つのＭＣＢＣＳプロキシを選択し、前記一つのＭＣＢＣＳプロキシを選択するためにマスターＭＣＢＣＳプロキシとスレーブＭＣＢＣＳプロキシを提案する。言い換えれば、本発明の実施形態では、一つのＭＢＳゾーンへのＭＣＢＣＳとマクロダイバーシティを支援するために前記一つのＭＢＳゾーンのための複数のＭＣＢＣＳプロキシのうち、一つのＭＣＢＣＳプロキシを選択し、該選択したＭＣＢＣＳプロキシをマスターＭＣＢＣＳプロキシとして設定し、残りのＭＣＢＣＳプロキシをスレーブＭＣＢＣＳプロキシとして設定する。
【００１３】
ここで、前記一つのＭＢＳゾーンのための各ＭＣＢＣＳプロキシは、前記一つのＭＢＳゾーン内の他のＭＣＢＣＳプロキシに関するリストを維持及び格納／管理し、前記マスターＭＣＢＣＳプロキシは、前記一つのＭＢＳゾーン内に複数のＡＳＮ−ＧＷによって複数のＭＣＢＣＳプロキシが存在する場合、ＭＣＢＣＳプロキシ機能を効率的に遂行するために前記複数のＭＣＢＣＳプロキシのうち、すべてのＭＣＢＣＳプロキシを制御するＭＣＢＣＳプロキシを指し、前記スレーブＭＣＢＣＳプロキシは、前記マスターＭＣＢＣＳプロキシの制御によってＭＣＢＣＳプロキシ機能を遂行するＭＣＢＣＳプロキシを指す。また、前記マスターＭＣＢＣＳプロキシは、ＭＢＳゾーン内において第一のＭＢＳ受信者、例えば、ＭＣＢＣＳコンテンツを受信しようとする第一の移動局（ＭＳ：Ｍｏｂｉｌｅ Ｓｔａｔｉｏｎ、以下、「ＭＳ」という）をもつＡＳＮ−ＧＷのＭＣＢＣＳプロキシがマスターＭＣＢＣＳプロキシモジュールとして設定される。前記ＭＢＳゾーン内において第一のＭＢＳ受信者は、前記ＭＢＳゾーン内において最初にＭＣＢＣＳの提供を受けるために一番最初にＭＣＢＣＳ参加メッセージを送信したＭＳを指し、それにより、前記マスターＭＣＢＣＳプロキシは、ＭＢＳゾーン内においてＭＳから一番目にＭＣＢＣＳ参加メッセージを受信して、前記ＭＳがＭＢＳゾーン内において第一のＭＣＢＣＳのためのＭＳであるとチェックしたＡＳＮ−ＧＷのＭＣＢＣＳプロキシを指す。
【００１４】
そして、ＭＢＳゾーン内の自身のゾーンにおいて第一のＭＢＳ受信者をもつＡＳＮ−ＧＷ、言い換えれば、ＭＢＳゾーン内の複数のＡＳＮ−ＧＷのうち、一番目にＭＳからＭＣＢＣＳ参加メッセージを受信したＡＳＮ−ＧＷは、自身のＭＣＢＣＳプロキシをマスターＭＣＢＣＳプロキシとして設定し、ＭＢＳゾーン内の他のＡＳＮ−ＧＷのＭＣＢＣＳプロキシに対してマスターＭＣＢＣＳプロキシの設定を通知し、前記マスターＭＣＢＣＳプロキシの設定を通知された他のＡＳＮ−ＧＷは、自身のＭＣＢＣＳプロキシをスレーブＭＣＢＣＳプロキシとして設定する。そして、前記マスターＭＣＢＣＳプロキシを設定したＡＳＮ−ＧＷは、コネクティビティサービスネットワーク（ＣＳＮ：Ｃｏｎｎｅｃｔｉｖｉｔｙ Ｓｅｒｖｉｃｅ Ｎｅｔｗｏｒｋ、以下、「ＣＳＮ」という）のＭＣＢＣＳコントローラへマスターＭＣＢＣＳプロキシの設定を通知する。ここで、前記マスターＭＣＢＣＳプロキシを設定したＡＳＮ−ＧＷは、通知（ｎｏｔｉｆｉｃａｔｉｏｎ）メッセージを送信して前記マスターＭＣＢＣＳプロキシの設定を通知し、前記通知メッセージには、マスターＭＣＢＣＳプロキシであることを示すＭＣＢＣＳプロキシの識別子（ＩＤ）が含まれる。
【００１５】
このようにして一つのＭＢＳゾーンのための複数のＭＣＢＣＳプロキシがマスターＭＣＢＣＳプロキシとスレーブＭＣＢＣＳプロキシとに決められると、前記ＭＣＢＣＳコントローラは、前記マスターＭＣＢＣＳプロキシのＡＳＮ−ＧＷとセッション開始（ｓｅｓｓｉｏｎ ｓｔａｒｔ）過程を行い、前記ＡＳＮ−ＧＷのマスターＭＣＢＣＳプロキシは、セッション情報を前記ＭＣＢＣＳコントローラから受信して、ＭＣＢＣＳとマクロダイバーシティのために必要なＭＣＢＣＳ制御情報／Ｌａｙｅｒ ２情報、すなわち変調、サブチャンネル、シンボル、オフセット、ＭＣＩＤに関する情報及びＭＣＢＣＳコンテンツを伝送する時間情報などを割り当てる。そして、前記ＡＳＮ−ＧＷのマスターＭＣＢＣＳプロキシは、前記割り当てたＭＣＢＣＳ制御情報／Ｌａｙｅｒ ２情報を自身のゾーンに位置したＢＳ及びスレーブＭＣＢＣＳプロキシへブロードキャスト／マルチキャスト方式にて送信する。また、ＡＳＮ−ＧＷのスレーブＭＣＢＣＳプロキシは、受信したＭＣＢＣＳ制御情報／Ｌａｙｅｒ ２情報を自身のゾーンに位置したＢＳへ送信し、このとき、前記スレーブＭＣＢＣＳプロキシは、マスターＭＣＢＣＳプロキシとＢＳ間でリレー経路を提供する役割のみを遂行する。その結果、一つのＭＢＳゾーン内に存在するすべてのＢＳは、同じＭＣＢＣＳ制御情報／Ｌａｙｅｒ ２情報を用いてＭＢＳ−ＭＡＰを生成し、前記ＭＢＳ−ＭＡＰを通じてＭＢＳゾーン内のＭＳへＭＣＢＣＳコンテンツを提供し、このとき、前記ＭＳは、マクロダイバーシティ利得を得る。ここで、図１を参照して本発明の実施形態による無線通信システムにおけるワイマックスシステムを具体的に説明することにする。
【００１６】
図１は、本発明の実施形態による無線通信システムにおいてワイマックスシステムの構造を概略的に示す図である。
図１を参照すると、ワイマックスシステムは、ＭＳ１０２、１０４、１０６と前記ＭＳ１０２、１０４、１０６へＭＣＢＣＳコンテンツを提供する複数のＡＳＮ１１０、１２０、１３０と、一つのＭＢＳゾーンを管理することで前記複数のＡＳＮ１１０、１２０、１３０を制御するＣＳＮ、及び前記ＭＣＢＣＳコンテンツを生成し提供するコンテンツプロバイダと、を含む。ここで、各ＡＳＮ１１０、１２０、１３０は、ＭＢＳゾーン内にＭＣＢＣＳコンテンツをブロードキャスト／マルチキャスト方式にて送信する無線アクセス局（ＲＡＳ：Ｒａｉｄｏ Ａｃｃｅｓｓ Ｓｔａｔｉｏｎ、以下、「ＲＡＳ」という）の機能を遂行するＢＳ１１２、１２２、１３２、前記ＢＳ１１２、１２２、１３２に接続されてＭＣＢＣＳコンテンツを伝えるＡＳＮ−ＧＷ１１４、１２４、１３４を含み、前記ＣＳＮは、ＭＣＢＣＳのための制御及びＭＣＢＣＳコンテンツ提供機能を遂行するＭＣＢＣＳサーバー（図示せず）と、前記ＭＳ１０２、１０４、１０６に対する認証、権限付与、及び課金機能を担うＡＡＡ（Ａｕｔｈｅｎｔｉｃａｔｉｏｎ Ａｕｔｈｏｒｉｚａｔｉｏｎ Ａｃｃｏｕｎｔｉｎｇ）サーバー１６０、前記ＭＣＢＣＳコンテンツの提供時に各種の通信規約を担う政策機能（ＰＦ：Ｐｏｌｉｃｙ Ｆｕｎｃｔｉｏｎ、以下、「ＰＦ」という）サーバー（図示せず）を含み、前記コンテンツプロバイダは、ＭＣＢＣＳの該当するＭＣＢＣＳコンテンツを生成するＭＣＢＣＳコンテンツサーバー１７０を含む。
【００１７】
前記ＡＳＮ−ＧＷ１１４、１２４、１３４は、ＡＳＮのデータ経路を制御するＭＢＳデータ経路機能（ＤＰＦ:Ｄａｔａ Ｐａｔｈ Ｆｕｎｃｔｉｏｎ、以下、「ＤＰＦ」という）モジュール１１６、１２６、１３６と、前記ＭＣＢＣＳプロキシ機能を遂行するＭＣＢＣＳプロキシ１１８、１２８、１３８、及び前記ＭＳ１０２、１０４、１０６へのＭＣＢＣＳコンテンツの提供のためのＭＣＢＣＳのサービスフローを認証するサービスフロー認証（ＳＦＡ：Ｓｅｒｖｉｃｅ Ｆｌｏｗ Ａｕｔｈｏｒｉｚａｔｉｏｎ、以下、「ＳＦＡ」という）モジュール（図示せず）と、を含む。
【００１８】
また、前記ＭＣＢＣＳサーバーは、前記コンテンツプロバイダのＭＣＢＣＳコンテンツサーバー１７０から提供されたＭＣＢＣＳコンテンツをＡＳＮ１１０、１２０、１３０へ伝えるコンテンツサーバー１５２と、前記コンテンツサーバー１５２が提供したＭＣＢＣＳコンテンツの前記ＭＳ１０２、１０４、１０６への提供時に制御機能を遂行するＭＣＢＣＳコントローラ１４０と、を含む。
【００１９】
そして、前記ＡＡＡサーバー１６０は、前述したように前記ＡＳＮ−ＧＷ１１４、１２４、１３４とＭＣＢＣＳサーバーの支援を通じてＭＳ１０２、１０４、１０６及びコンテンツプロバイダの認証、権限付与、及び課金機能を遂行する。また、前記ＰＦサーバーは、各種の通信規約に対応してＭＣＢＣＳコンテンツを提供するように支援、例えば、ＭＣＢＣＳコンテンツの提供時に前記通信規約に対応した資源割り当て及び資源予約などを支援する。さらに、前記コンテンツプロバイダは、前記ＭＳ１０２、１０４、１０６が提供を受けようとするＭＣＢＣＳ、例えば、位置基盤サービス、ビデオ及びオーディオサービス、インターネットウェブサービス、音声及び画像サービスなどにあたるＭＣＢＣＳコンテンツを生成し、前記ＭＣＢＣＳサーバーへ伝える。ここで、図２を参照して本発明の実施形態による無線通信システムにおいてＭＣＢＣＳとマクロダイバーシティを支援するためのワイマックスシステムをより具体的に説明することにする。
【００２０】
図２は、本発明の実施形態による無線通信システムにおいてＭＣＢＣＳとマクロダイバーシティを支援するためのワイマックスシステム構造を概略的に示す図である。
図２を参照すると、ワイマックスシステムは、図１において説明した構成要素を含み、特に、一つのＭＢＳゾーン２００内に複数のＡＳＮが含まれる。したがって、一つのＭＢＳゾーン２００に含まれる各ＡＳＮには、ＡＳＮ−ＧＷ１１４、１２４、１３４が備えられ、前記ＡＳＮ−ＧＷ１１４、１２４、１３４の個数分のＭＣＢＣＳプロキシ１１８、１２８、１３８が備えられる。ここで、前記ＡＳＮ−ＧＷ１１４、１２４、１３４は、ＭＣＢＣＳプロキシ１１８、１２８、１３８を搭載するように構成されるか、またはＭＣＢＣＳプロキシ１１８、１２８、１３８を制御する形態で構成されていればよい。
【００２１】
そして、一つのＭＢＳゾーン２００には、前述したように前記ＡＳＮ−ＧＷ１１４、１２４、１３４と接続されたＢＳ１１２、１２２、１３２、２１２、２２２、２３２と、前記ＢＳ１１２、１２２、１３２、２１２、２２２、２３２からＭＣＢＣＳコンテンツの提供を受けるＭＳ１０２、１０４、１０６、２０２と、前記ＭＣＢＣＳコンテンツの提供を制御するＭＣＢＣＳコントローラ１４０、及び前記コンテンツプロバイダへ、例えばインターネットウェブサービスを提供するＭＣＢＣＳコンテンツサーバー１７０と、を含む。
【００２２】
ここで、前記一つのＭＢＳゾーン２００内に複数のＡＳＮが含まれる場合において、ＭＣＢＣＳ及びマクロダイバーシティのために各ＭＣＢＣＳプロキシ１１８、１２８、１３８は、表１の機能をすべてまたは選択的に支援する。
【００２３】
表１に表すように、各ＭＣＢＣＳプロキシ１１８、１２８、１３８は、ＭＣＢＣＳのための前記ＰＦサーバーとの相互連動及び前記ＭＣＢＣＳに対するサービスフロー識別子（ＳＦＩＤ：Ｓｅｒｖｉｃｅ Ｆｌｏｗ Ｉｄｅｎｔｉｆｉｅｒ、以下、「ＳＦＩＤ」という）を管理し、静的マルチキャストサービス方式及び動的マルチキャスト方式に対応した静的ＭＣＩＤと動的ＭＣＩＤを割り当てる。そして、前記各ＭＣＢＣＳプロキシ１１８、１２８、１３８は、ＭＣＢＣＳのための無線資源管理（ＲＲＭ：Ｒａｄｉｏ Ｒｅｓｏｕｒｃｅ Ｍａｎａｇｅｍｅｎｔ、以下、「ＲＲＭ」という）機能及びＭＢＳゾーンにＭＣＢＣＳデータ伝送領域をマッピングする機能を遂行する。また、前記各ＭＣＢＣＳプロキシ１１８、１２８、１３８は、ＭＣＢＣＳコンテンツのセキュリティをＬａｙｅｒ ２レベルで支援し、静的無線資源及び動的無線資源を割り当てる。このとき、前記各ＭＣＢＣＳプロキシ１１８、１２８、１３８は、マクロダイバーシティを支援するためにＭＢＳゾーン内のすべてのＢＳに同じ無線資源を割り当てる。さらに、前記各ＭＣＢＣＳプロキシ１１８、１２８、１３８は、前記ＭＣＢＣＳコンテンツの提供を受けるＭＳ１０２、１０４、１０６、２０２を管理、言い換えれば、ＭＣＢＣＳグループに属したＭＳを管理し、ＭＣＢＣＳの課金及びマクロダイバーシティを支援するための同期を制御し、前記ＭＢＳゾーンのリストを管理するなどの機能をすべてまたは選択的に支援する。
【００２４】
【表１】
2011505738.tif 000003
【００２５】
ここで、前述したように一つのＭＢＳゾーン２００へのＭＣＢＣＳとマクロダイバーシティを支援するために一つのＭＢＳゾーン２００内のすべての基地局がＭＢＳ−ＭＡＰを生成するための同じ構成情報、すなわち、ＭＣＢＣＳ制御情報／Ｌａｙｅｒ ２情報を獲得しなければならず、このために、前記一つのＭＢＳゾーン２００のための複数のＭＣＢＣＳプロキシ１１８、１２８、１３８のうち、マスターＭＣＢＣＳプロキシとスレーブＭＣＢＣＳプロキシを選択する。
【００２６】
そして、具体的には示していないが、一つのＭＢＳゾーン２００のためのＡＳＮ−ＧＷ１１４、１２４、１３４のＭＣＢＣＳプロキシ１１８、１２８、１３８は、ＭＳからＭＣＢＣＳ参加メッセージを受信する受信部と、第一のＭＢＳ受信者をチェックして当該ＭＣＢＣＳプロキシ自身をマスターＭＣＢＣＳプロキシまたはスレーブＭＣＢＣＳプロキシとして設定するＭＣＢＣＳプロキシ設定部と、当該ＭＣＢＣＳプロキシが前記マスターＭＣＢＣＳプロキシとして設定されると、前記マスターＭＣＢＣＳプロキシの設定を示す通知メッセージに対応したセッション情報を前記ＭＣＢＣＳコントローラ１４０から受信してＭＣＢＣＳ制御情報／Ｌａｙｅｒ ２情報を生成する情報生成部と、当該ＭＣＢＣＳプロキシが前記マスターＭＣＢＣＳプロキシとして設定されると、前記通知メッセージを他のＡＳＮ−ＧＷのスレーブＭＣＢＣＳプロキシとＭＣＢＣＳコントローラ１４０へ送信し、ＭＣＢＣＳ制御情報／Ｌａｙｅｒ ２情報をＢＳと他のＡＳＮ−ＧＷのスレーブＭＣＢＣＳプロキシへ送信する送信部、及び前記一つのＭＢＳゾーン２００内の他のＭＣＢＣＳプロキシに関するリストを維持及び格納／管理するリスト格納部と、を含む。当該ＭＣＢＣＳプロキシがスレーブＭＣＢＣＳプロキシとして設定されると、前記送信部は、マスターＭＣＢＣＳプロキシから受信したＭＣＢＣＳ制御情報／Ｌａｙｅｒ ２情報をＢＳに対してリレー機能のみを遂行して送信する。図３を参照してＭＣＢＣＳとマクロダイバーシティを支援するためにマスターＭＣＢＣＳプロキシとスレーブＭＣＢＣＳプロキシを選択する動作についてより具体的に説明することにする。
【００２７】
図３は、本発明の実施形態による無線通信システムにおいてＭＣＢＣＳとマクロダイバーシティを支援するためにワイマックスシステムのＭＣＢＣＳプロキシを選択する動作を示す図である。
【００２８】
図３を参照すると、ワイマックスシステムのＭＣＢＣＳコントローラ１４０は、ＭＣＢＣＳのために一つのＭＢＳゾーン２００に含まれた複数のＡＳＮのセッションを開始し、データ経路を登録してＭＢＳゾーン２００へ提供するＭＣＢＣＳコンテンツを知らせるサービス広告手続を遂行する。そして、前記複数のＡＳＮによって複数のＡＳＮ−ＧＷのうち、前記一つのＭＢＳゾーン２００における第一のＭＢＳ受信者、言い換えれば、ＭＣＢＣＳコンテンツの提供を受けるために一番目にＭＣＢＣＳ参加メッセージを送信したＭＳをもつＡＳＮ−ＧＷ１１４は、自身のＭＣＢＣＳプロキシをマスターＭＣＢＣＳプロキシ１１８として設定する。ここで、前記マスターＭＣＢＣＳプロキシ１１８として設定されたＭＣＢＣＳプロキシは、マスター／スレーブＭＣＢＣＳプロキシとして設定されていない状態で参加メッセージを一番目に受信することで一つのＭＢＳゾーン２００において第一の受信者をチェックしたＭＣＢＣＳプロキシで、自身の状態をマスターとして設定したＭＣＢＣＳプロキシである。
【００２９】
そして、前記マスターＭＣＢＣＳプロキシ１１８を設定したＡＳＮ−ＧＷ１１４は、マスターＭＣＢＣＳプロキシであることを示すＭＣＢＣＳプロキシＩＤが含まれた通知メッセージをＭＣＢＣＳコントローラ１４０と前記ＭＢＳゾーン２００内の他のＡＳＮ−ＧＷ１２４、１３４へ送信する。前記通知メッセージを受信した他のＡＳＮ−ＧＷ１２４、１３４は、自身のＭＣＢＣＳプロキシをスレーブＭＣＢＣＳプロキシ１２８、１３８として設定する。
【００３０】
ここで、前述したように一つのＭＢＳゾーン２００へのＭＣＢＣＳとマクロダイバーシティを支援するために前記一つのＭＢＳゾーン２００のための各ＭＣＢＣＳプロキシ１１８、１２８、１３８は、他のＭＣＢＣＳプロキシのリストを維持する。そして、前記マスターＭＣＢＣＳプロキシ１１８は、複数のＭＣＢＣＳプロキシが存在する場合、ＭＣＢＣＳプロキシ機能を効率的に遂行するために前記複数のＭＣＢＣＳプロキシのすべてを制御するＭＣＢＣＳプロキシを指し、前記スレーブＭＣＢＣＳプロキシ１２８、１３８は、前記マスターＭＣＢＣＳプロキシ１１８の制御によってＭＣＢＣＳプロキシ機能を遂行するＭＣＢＣＳプロキシを指す。
【００３１】
また、前記ＭＢＳゾーン２００内において第一のＭＢＳ受信者をもつＡＳＮ−ＧＷ１１４以外の他のＡＳＮ−ＧＷ１２４、１３４が第一のＭＢＳ受信者をもつ場合、前記第一のＭＢＳ受信者をもつＡＳＮ−ＧＷ１１４、１２４、１３４は、自身のＭＣＢＣＳプロキシをマスターＭＣＢＣＳプロキシとして設定した後、自身のＭＣＢＣＳプロキシＩＦが含まれた通知メッセージをそれぞれ他のＡＳＮ−ＧＷとＭＣＢＣＳコントローラ１４０へ送信する。このとき、各ＭＣＢＣＳプロキシ１１８、１２８、１３８の時間が同期化されていることで、各ＭＣＢＣＳプロキシ１１８、１２８、１３８及びＭＣＢＣＳコントローラ１４０は、各ＡＳＮ−ＧＷ１１４、１２４、１３４の参加メッセージの受信時点をチェック、言い換えれば、前記各ＡＳＮ−ＧＷ１１４、１２４、１３４の第一のＭＢＳ受信者のうち最初の第一の受信者をチェックすることができ、その結果、一つのＭＣＢＣＳプロキシのみをマスターＭＣＢＣＳプロキシとして設定し、残りのＭＣＢＣＳプロキシをスレーブＭＣＢＣＳプロキシとして設定することができる。
【００３２】
前記通知メッセージを受信したＭＣＢＣＳコントローラ１４０は、前記通知メッセージに含まれた情報、例えば、前記マスターＭＣＢＣＳプロキシ１１８のＩＤを格納し、ＭＣＢＣＳコンテンツを提供するためのマルチキャストインターネットプロトコル（ＩＰ：Ｉｎｔｅｒｎｅｔ Ｐｒｏｔｏｃｏｌ、以下、「ＩＰ」という）アドレス（Ｍｕｌｔｉｃａｓｔ ＩＰ Ａｄｄｒｅｓｓ）／ブロードキャストＩＰアドレス（Ｂｒｏａｄｃａｓｔ ＩＰ Ａｄｄｒｅｓｓ）を含んだＭＢＳチャンネル情報、伝送時間情報、符号化／復号化情報などが含まれたセッション情報を知らせるためにセッション開始過程を行う。
【００３３】
前記ＭＣＢＣＳコントローラ１４０からセッション情報を受信したＡＳＮ−ＧＷ１１４のマスターＭＣＢＣＳプロキシ１１８は、前述したようにＭＣＢＣＳとマクロダイバーシティのためのＭＣＢＣＳ制御情報／Ｌａｙｅｒ ２情報、すなわち変調、サブチャンネル、シンボル、オフセット、ＭＣＩＤに関する情報及びＭＣＢＣＳコンテンツを伝送する時間情報などを割り当てる。そして、前記ＡＳＮ−ＧＷ１１４のマスターＭＣＢＣＳプロキシ１１８は、前記割り当てたＭＣＢＣＳ制御情報／Ｌａｙｅｒ ２情報を自身のゾーンに位置したＢＳ及びスレーブＭＣＢＣＳプロキシ１２８、１３８へブロードキャスト／マルチキャスト方式にて送信する。
【００３４】
また、前記マスターＭＣＢＣＳプロキシ１１８からＭＣＢＣＳ制御情報／Ｌａｙｅｒ ２情報を受信したスレーブＭＣＢＣＳプロキシ１２８、１３８は、受信したＭＣＢＣＳ制御情報／Ｌａｙｅｒ ２情報を自身のゾーンに位置したＢＳへ送信し、このとき、前記スレーブＭＣＢＣＳプロキシは、マスターＭＣＢＣＳプロキシ１１８とＢＳとの間でリレー経路を提供する役割のみを遂行する。その結果、一つのＭＢＳゾーン２００内に存在するすべてのＢＳは、同じＭＣＢＣＳ制御情報／Ｌａｙｅｒ ２情報を用いてＭＢＳ−ＭＡＰを生成し、前記ＭＢＳ−ＭＡＰを通じてＭＢＳゾーン２００内のＭＳに対してＭＣＢＣＳコンテンツを提供し、このとき、前記ＭＳはマクロダイバーシティ利得を得る。
【００３５】
以上、本発明を好適な実施形態を参照して詳しく説明したが、本発明はその技術的思想や必須特徴を変更せずに他の具体的な形態に実施することができるため、本発明の属する技術分野における当業者であれば、以上で記述した実施形態はすべての面において例示的なものに過ぎず、本発明を限定するためのものではないことが理解できるであろう。
【００３６】
また、本発明の範囲は上記詳細な説明よりは特許請求の範囲によって特定され、特許請求の範囲の意味及び範囲、そしてその等価概念から導き出せるすべての変更または変形形態も本発明の範囲に含まれるものと理解されるべきである。
【符号の説明】
【００３７】
１０２、１０４、１０６：ＭＳ
１１０、１２０、１３０：ＡＳＮ
１１２、１２２、１３２：ＢＳ
１１４、１２４、１３４：ＡＳＮ−ＧＷ
１１８：マスターＭＣＢＣＳプロキシ
１２８：スレーブＭＣＢＣＳプロキシ
１４０：ＭＣＢＣＳコントローラ
１６０：ＡＡＡサーバー
２００：ＭＢＳゾーン
【図１】
2011505738.tif 000004
【図２】
2011505738.tif 000005
【図３】
2011505738.tif 000006
【国際調査報告】
2011505738.tif 000007
2011505738.tif 000008